(57)【特許請求の範囲】
【請求項１】
光軸に沿って物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、正または負の屈折力を有する第６レンズ群を有するズームレンズにおいて、
広角端から望遠端への変倍に際し、第１レンズ群が固定され、少なくとも第２レンズ群と、第４レンズ群と、第５レンズ群が移動し、
上記第１レンズ群は、光路を折り曲げるための反射光学素子を有し、上記反射光学素子の入射面または射出面が曲率を有することを特徴とするズームレンズ。
【請求項２】
請求項１記載のズームレンズにおいて、  
第１レンズ群の焦点距離：f1、広角端における全系の焦点距離：fw、望遠端における全系の焦点距離：ftが、条件： 
（１）    １＜ｆ１／√（ｆｗ×ｆｔ）＜２  
を満足することを特徴とする撮像装置。
【請求項３】
請求項１または２記載のズームレンズにおいて、
第２レンズ群の焦点距離：f2、広角端における全系の焦点距離：fw、望遠端における全系の焦点距離：ftが、条件： 
（２）    −０．８＜ｆ２／√（ｆｗ×ｆｔ）＜−０．３  
を満足することを特徴とする撮像装置。
【請求項４】
請求項１〜３の任意の１に記載のズームレンズにおいて、
第６レンズ群が接合レンズを有することを特徴とするズームレンズ。
【請求項５】
請求項１〜４の任意の１に記載のズームレンズにおいて、  
変倍時およびフォーカシング時に、第３レンズ群が固定であることを特徴とするズームレンズ。  
【請求項６】
請求項１〜５の任意の１に記載のズームレンズにおいて、
変倍時およびフォーカシング時に、第６レンズ群が固定であることを特徴とするズームレンズ。
【請求項７】
請求項１〜６の任意の１に記載のズームレンズにおいて、
フォーカシングを第５レンズ群の移動により行うことを特徴とするズームレンズ。
【請求項８】
請求項１〜７の任意の１に記載のズームレンズと、このズームレンズによる像を撮像する撮像素子を有することを特徴とする撮像装置。
【発明の詳細な説明】
【技術分野】
【０００１】
この発明は、ズームレンズおよび撮像装置に関する。この発明のズームレンズは、固体撮像素子等を撮像素子としたビデオカメラや電子スチルカメラ等に好適に用いられ、この発明の撮像装置はビデオカメラや電子スチルカメラとして好適に実施できる。
【背景技術】
【０００２】
近年、普及の著しいデジタルカメラは、より高性能化・小型化が求められ、撮影レンズとして用いられるズームレンズにも高性能化と小型化の両立が求められている。このような要求に応えるものとして、光学系内にプリズムを挿入することにより「光軸方向のカメラの薄型化」を図るものが知られている（特許文献１、２）。
【０００３】
これら特許文献記載のタイプのズームレンズは、変倍に伴う収差変動を小さく抑えつつ高倍率化することが容易でない。
【０００４】
【特許文献１】特開平８−２４８３１８号公報
【特許文献２】特開２０００-１３１６１０
【発明の開示】
【発明が解決しようとする課題】
【０００５】
この発明は上述した事情に鑑みてなされたものであって、小型・高性能のデジタルカメラ用のズームレンズとして特に適し、変倍比：５倍以上に対応できる解像力を実現可能なズームレンズの実現、さらには、このようなズームレンズを用いる撮像装置の実現を課題とする。
【課題を解決するための手段】
【０００６】
この発明のズームレンズは、図１に例示するように、光軸に沿って物体側（図の左方）から順に、第１レンズ群Ｉ〜第６レンズ群ＶＩを有する。  
第１レンズ群Ｉは正の屈折力を有し、第２レンズ群ＩＩは負の屈折力を有し、第３レンズ群ＩＩＩは正の屈折力を有する。第４レンズ群ＩＶは負の屈折力を有し、第５レンズ群Ｖは正の屈折力を有する。第６レンズ群ＶＩは「正または負の屈折力」を有する。  
広角端から望遠端への変倍に際しては、第１レンズ群Ｉが固定され、少なくとも第２レンズ群ＩＩと、第４レンズ群ＩＶと、第５レンズ群Ｖが移動する。  
そして、第１レンズ群Ｉは群内に「光路を折り曲げるための反射光学素子」を有し、この反射光学素子の入射面または射出面が屈折面として曲率を有する（請求項１）。
【０００７】
請求項１記載のズームレンズは、第１レンズ群Ｉの焦点距離：f1、広角端における全系の焦点距離：fw、望遠端における全系の焦点距離：ftが、条件： 
（１）    １＜ｆ１／√（ｆｗ×ｆｔ）＜２  
を満足することが好ましい（請求項２）。  
請求項１または２記載のズームレンズは、第２レンズ群ＩＩの焦点距離：f2、広角端における全系の焦点距離：fw、望遠端における全系の焦点距離：ftが、条件： 
（２）    −０．８＜ｆ２／√（ｆｗ×ｆｔ）＜−０．３  
を満足することが好ましい（請求項３）。
【０００８】
請求項１〜３の任意の１に記載のズームレンズにおける第６レンズ群ＶＩは「接合レンズ」を有することができる（請求項４）。  
請求項１〜４の任意の１に記載のズームレンズは、変倍時およびフォーカシング時に、第３レンズ群ＩＩＩが固定であることができる（請求項５）。  
請求項１〜５の任意の１に記載のズームレンズは、変倍時およびフォーカシング時に、第６レンズ群ＶＩが固定であることが好ましい（請求項６）。  
請求項１〜６の任意の１に記載のズームレンズは、フォーカシングを第５レンズ群Ｖの移動により行うことが好ましい（請求項７）。
【０００９】
この発明の撮像装置は、請求項１〜７の任意の１に記載のズームレンズと、このズームレンズによる像を撮像する撮像素子を有する撮像装置であり、デジタルカメラやビデオカメラ等として実施できる。
【００１０】
上記の如く、この発明のズームレンズは、第１レンズ群中に反射光学素子を用いることによりデジタルカメラ等の撮像装置の撮影レンズとして用いた場合、撮像装置の光軸方向の厚さを薄くでき、撮像装置を小型化することが出来る。
【００１１】
条件（１）は、第１レンズ群の焦点距離を適切に設定するための式である。下限値を上回ることにより、第１レンズ群の屈折力が強くなりすぎず、第１レンズ群での収差の発生を抑えることができる。また、上限値を下回ることにより、第１レンズ群の正の屈折力を適度に確保することができ、ズームレンズの全長を短くすることができる。
【００１２】
条件（２）は、第２レンズ群の焦点距離を適切に設定するための式である。下限値を上回ることにより、第２レンズ群の負の屈折力を適度に維持でき、所望のズーム比を得るうえで、第２レンズ群の移動量を小さくでき、ズームレンズの全長を短くできる。また、上限値を下回ることにより、第２レンズ群の負の屈折力が大きくなりすぎず、第２レンズ群での収差の発生を抑えることができる。
【００１３】
上記の如く、この発明のズームレンズは「正・負・正・負・正・正または負」の６つのレンズ群で構成されるズームレンズであり、第２レンズ群が主要な変倍作用を負担する所謂「バリエータ」として構成されるが、第３レンズ群以降のレンズ群にも変倍作用を分担させることにより第２レンズ群の負担を軽くして「高変倍化に伴って困難になる収差補正に対する補正の自由度」を確保している。
【発明の効果】
【００１４】
以上に説明したように、この発明によれば「新規なズームレンズと撮像装置」を実現できる。この発明のズームレンズは、以下に挙げる具体的な実施例のように変倍比が５倍以上（実施例出は７倍）で「小型でありながら収差が十分に補正されたズームレンズ」として実現可能である。従って、このようなズームレンズを用いることにより小型で性能良好な「デジタルカメラ等の撮像装置」を実現できる。また、撮像装置が小型化されることにより、部品の小型化や部品点数の削減による省資源にも寄与出来る。
【発明を実施するための最良の形態】
【００１５】
以下、ズームレンズの実施の形態を説明する。  
図１は、この発明のズームレンズの実施の１形態を示す図である。この実施の形態は、後述する実施例１に関するものである。  
図１は、レンズ群構成と、変倍に際してのレンズ群の変位を示している。図の上段図が広角端、中段図が特定の中間焦点距離、下段図が望遠端におけるレンズ群の配置状態を示している。
【００１６】
図１に実施の形態を示すズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、負の屈折力を有する第６レンズ群ＶＩとを有する。第３レンズ群ＩＩＩ中には開口絞りが設けられている。
【００１７】
広角端（上段図）から望遠端（下段図）への変倍に際しては、図示の如く、第１レンズ群Ｉと第２レンズＩＩ群の間隔が大きくなり、第２レンズ群ＩＩと第３レンズ群ＩＩＩの間隔が小さくなり、第３レンズ群ＩＩＩと第４レンズ群ＩＶの間隔が大きくなり、第４レンズ群ＩＶと第５レンズ群Ｖの間隔が小さくなり、第５レンズ群Ｖと第６レンズ群ＶＩの間隔が小さくなる。第１レンズ群Ｉは変倍に際して固定される。
【００１８】
この実施の形態においては、変倍に際して、第１レンズ群Ｉの他、第３レンズ群ＩＩＩ、第６レンズ群ＩＶは固定であり、第２レンズ群ＩＩと第４レンズ群ＩＶと第５レンズ群Ｖとが、像側へ移動する。
【００１９】
第１レンズ群Ｉは、物体側から順に、物体側に凸面を向けた負メニスカスレンズと、プリズムＰと、２枚の両凸正レンズを有する。プリズムＰは「光路を折り曲げるための反射光学素子」であり、その射出面側は「像面側に凸の曲率」を有する。プリズムＰが存在するので、実際の光路は第１レンズ群中において「プリズムの反射」により折り曲げられるが、図が複雑化するのを避けるため、光路を直線的に展開した状態で示している。
【００２０】
第２レンズ群ＩＩは、物体側から順に、両凹負レンズ、「両凹負レンズと両凸正レンズの接合レンズ」、像面側に凸の負メニスカスレンズからなる。第３レンズ群ＩＩＩは、物体側から順に、物体側により強い凸面を向けた正メニスカスレンズと「両凸正レンズと負メニスカスレンズの接合レンズ」を配してなり、正メニスカスレンズと接合レンズとの間に開口絞りが設けられている。
【００２１】
第４レンズ群ＩＶは両凹負レンズ１枚でなり、第５レンズ群Ｖは両凸正レンズ１枚でなる。第６レンズ群ＶＩは「両凹負レンズと両凸正レンズとの接合レンズ」である。  
図５に、ズームレンズの実施の別形態を図１に倣って示す。この実施の形態は、後述する実施例２に関するものである。
【００２２】
この実施の形態のズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、正の屈折力を有する第６レンズ群ＶＩを有し、第３レンズ群ＩＩＩ中に開口絞りを有する。
【００２３】
広角端から望遠端への変倍に際しては、第１レンズ群Ｉと第２レンズ群ＩＩの間隔が大きくなり、第２レンズ群ＩＩと第３レンズ群ＩＩＩの間隔が小さくなり、第３レンズ群ＩＩＩと第４レンズ群ＩＶの間隔が大きくなり、第４レンズ群ＩＶと第５レンズ群Ｖの間隔が小さくなり、第５レンズ群Ｖと第６レンズ群ＶＩの間隔が小さくなる。第１レンズ群Ｉは変倍に際して固定される。  
この実施の形態においては、変倍時に、第１レンズ群Ｉの他に、第３レンズ群ＩＩＩ、第６レンズ群ＶＩが固定される。
【００２４】
第１レンズ群Ｉは、物体側から順に、物体側に凸面を向けた負メニスカスレンズと、プリズムＰと、２枚の両凸正レンズを有する。プリズムＰは「光路を折り曲げるための反射光学素子」であり、その射出面側は「像面側に凸の曲率」を有する。プリズムＰが存在するので、実際の光路は第１レンズ群中において「プリズムの反射」により折り曲げられるが、図が複雑化するのを避けるため、光路を直線的に展開した状態で示している。
【００２５】
第２レンズ群ＩＩは、物体側から順に、両凹負レンズ、「両凹負レンズと両凸正レンズの接合レンズ」、両凹負レンズからなる。第３レンズ群ＩＩＩは、物体側から順に、両凸正レンズと「両凸正レンズと両凹負レンズの接合レンズ」からなり、両凸正レンズと接合レンズとの間に開口絞りを有する。
【００２６】
第４レンズ群ＩＶは「両凹負レンズ１枚」でなり、第５レンズ群Ｖは「像面側に凸面を向けた正メニスカスレンズ１枚」でなる。第６レンズ群ＶＩは「両凹負レンズと両凸正レンズの接合レンズ」である。
【００２７】
図９に、ズームレンズの、実施の他の形態を図１に倣って示す。この実施の形態は、後述する実施例３に関するものである。
【００２８】
この実施の形態のズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、負の屈折力を有する第６レンズ群ＶＩを有し、第３レンズ群ＩＩＩ中に開口絞りを有する。
【００２９】
広角端から望遠端への変倍に際しては、第１レンズ群Ｉと第２レンズ群ＩＩの間隔が大きくなり、第２レンズ群ＩＩと第３レンズ群ＩＩＩの間隔が小さくなり、第３レンズ群ＩＩＩと第４レンズ群ＩＶの間隔が大きくなり、第４レンズ群ＩＶと第５レンズ群Ｖの間隔が小さくなり、第５レンズ群Ｖと第６レンズ群ＶＩの間隔が小さくなる。第１レンズ群Ｉは変倍に際して固定される。  
この実施の形態においては、変倍時に、第１レンズ群Ｉの他に、第３レンズ群ＩＩＩ、第６レンズ群ＶＩが固定される。
【００３０】
第１レンズ群Ｉは、物体側から順に、物体側に凸面を向けた負メニスカスレンズと、プリズムＰと、２枚の両凸正レンズを有する。プリズムＰは「光路を折り曲げるための反射光学素子」であり、その射出面側は「像面側に凸の曲率」を有する。プリズムＰが存在するので、実際の光路は第１レンズ群中において「プリズムの反射」により折り曲げられるが、図が複雑化するのを避けるため、光路を直線的に展開した状態で示している。
【００３１】
第２レンズ群ＩＩは、物体側から順に、両凹負レンズ、「負メニスカスレンズと両凸正レンズの接合レンズ」、両凹負レンズからなる。第３レンズ群ＩＩＩは、物体側から順に、正メニスカスレンズと「両凸正レンズと負レンズの接合レンズ」からなり、正メニスカスレンズと接合レンズとの間に開口絞りを有する。
【００３２】
第４レンズ群ＩＶは「両凹負レンズ１枚」でなり、第５レンズ群Ｖは「両凸正レンズ１枚」でなる。第６レンズ群ＶＩは「両凹負レンズと両凸正レンズの接合レンズ」である。
【００３３】
図１３に、ズームレンズの実施のさらに他の形態を図１に倣って示す。この実施の形態は、後述する実施例４に関するものである。
【００３４】
この実施の形態のズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、正の屈折力を有する第６レンズ群ＶＩを有し、第３レンズ群ＩＩＩ中に開口絞りを有する。
【００３５】
広角端から望遠端への変倍に際しては、第１レンズ群Ｉと第２レンズ群ＩＩの間隔が大きくなり、第２レンズ群ＩＩと第３レンズ群ＩＩＩの間隔が小さくなり、第３レンズ群ＩＩＩと第４レンズ群ＩＶの間隔が大きくなり、第４レンズ群ＩＶと第５レンズ群Ｖの間隔が小さくなり、第５レンズ群Ｖと第６レンズ群ＶＩの間隔が小さくなる。第１レンズ群Ｉは変倍に際して固定される。  
この実施の形態においては、変倍時に、第１レンズ群Ｉの他に、第３レンズ群ＩＩＩ、第６レンズ群ＶＩが固定される。
【００３６】
第１レンズ群Ｉは、物体側から順に、物体側に凸面を向けた負メニスカスレンズと、プリズムＰと、２枚の正レンズを有する。プリズムＰは「光路を折り曲げるための反射光学素子」であり、その射出面側は「像面側に凸の曲率」を有する。プリズムＰが存在するので、実際の光路は第１レンズ群中において「プリズムの反射」により折り曲げられるが、図が複雑化するのを避けるため、光路を直線的に展開した状態で示している。
【００３７】
第２レンズ群ＩＩは、物体側から順に、両凹負レンズ、「両凹負レンズと両凸正レンズの接合レンズ」、負メニスカスレンズからなる。第３レンズ群ＩＩＩは、物体側から順に、正レンズと「両凸正レンズと負レンズの接合レンズ」からなり、正レンズと接合レンズとの間に開口絞りを有する。
【００３８】
第４レンズ群ＩＶは「両凹負レンズ１枚」でなり、第５レンズ群Ｖは「両凸正レンズ１枚」でなる。第６レンズ群ＶＩは「負レンズと両凸正レンズの接合レンズ」である。
【００３９】
なお、図１、図５、図９、図１３において、第６レンズ群ＶＩと像面Ｉとの間に「像面に配設されたＣＣＤ等の固体撮像素子の限界解像以上の空間周波数をカットするためのローパスフィルタや、撮像素子を保護するカバーガラス」に相当する平行平板Ｆ（１枚として描いてある）を有する。
【００４０】
図１７は、この発明の撮像装置の実施の１形態であるデジタルカメラのシステム図を示している。図１７に示すように、デジタルカメラ３０は撮影レンズ３１と撮像素子である受光素子（エリアセンサ）４５を有し、撮影レンズ３１による「撮影対象物の像」を受光素子４５上に結像させて受光素子４５により読み取るように構成されている。
【００４１】
受光素子４５は「カラー撮像素子」である。  
撮影レンズ３１としては請求項１〜７の何れかに記載されたズームレンズ、具体的には、後述の実施例１〜４の何れかが用いられる。また、受光素子４５としては、画素数：５００万〜８００万画素以上のもの、例えば、受光領域の対角長：９．１ｍｍ、画素ピッチ：２．３５μｍ、画素数：略７００万画素のＣＣＤエリアセンサや、受光領域の対角長：９．１ｍｍ、画素ピッチ：２μｍ、画素数：略１０００万画素のＣＣＤエリアセンサ等を使用できる。
【００４２】
図１７に示すように、受光素子４５からの出力は中央演算装置４０の制御を受ける信号処理装置４２によって処理されてデジタル情報に変換される。信号処理装置４２によってデジタル化された画像情報は、中央演算装置４０の制御を受ける画像処理装置４１において所定の画像処理を受けた後、半導体メモリ４４に記録される。液晶モニタ３８には「撮影中の画像」を表示することもできるし、「半導体メモリ４４に記録されている画像」を表示することもできる。また、半導体メモリ４４に記録した画像は通信カード４３等を使用して外部へ送信することも可能である。
【００４３】
撮影レンズ３１として用いられるこの発明のズームレンズは、第１レンズ群に配設されたプリズムにより光路を折り曲げられるので、レンズ配置はデジタルカメラのケーシング内で、光路が折り曲げられている。また、変倍の際に第１レンズ群は固定されるので、変倍動作でカメラの外形が変化することが無い。
【００４４】
半導体メモリ４４に記録した画像を液晶モニタ３８に表示したり、通信カード４３等を使用して外部へ送信したりする際は操作ボタン３７の操作により行うこともできる。半導体メモリ４４および通信カード等４３は、それぞれ専用または汎用のスロットに挿入して使用される。
【実施例】
【００４５】
以下、ズームレンズに関する具体的な実施例を４例挙げる。  
実施例のデータにおいて、ｆは「ズームレンズ系全体の焦点距離」、ＦＮＯは「Ｆナンバ」、ωは「半画角（度）」を示す。また、面番号は物体側からの面（絞りの面を含む）の順序、面間隔は光軸上の面間隔を示す。「Ｎｄ」はｄ線（λ＝５８７．６ｎｍ）における媒質の屈折率、「ν」はアッベ数を示す。空気の屈折率（＝１．０００００）は省略する。実施例における非球面は、光軸方向のデプスをＸ、近軸曲率半径の逆数（近軸曲率）をＣ、光軸からの高さをＨ、円錐定数をＫ、高次の非球面係数をＡ４、Ａ６・・等として、周知の以下の式で表す。
【００４６】
Ｘ＝ＣＨ２/｛１＋√（１−（１＋Ｋ）Ｃ２Ｈ２）｝    
＋Ａ４・Ｈ４＋Ａ６・Ｈ６＋Ａ８・Ｈ８＋Ａ１０・Ｈ１０＋Ａ１２・Ｈ１２ 
＋Ａ１４・Ｈ１４＋Ａ１６・Ｈ１６＋Ａ１８・Ｈ１８＋・・  
以下の実施例の諸元値において、諸元表中の焦点距離、曲率半径、面間隔その他の長さの単位は一般に「ｍｍ」が使われるが、光学系は比例拡大又は比例縮小しても同等の光学性能が得られるので、これに限られるものではない。  
「実施例１」  
f=6.0〜42.0  、FNO=3.44〜4.63  、ω=33.8〜5.0  
面番号  曲率半径    面間隔         Nd      νd  
1       93.30084      0.6        1.91191   22.0832  
2       17.99511      1.859575      
3        ∞           7.5        1.88300   40.8000 
4        ∞           7.5        1.88300   40.8000 
5      -99.79785      0.2           
6       55.65603      1.763603   1.57057    63.1750 
7      -39.40345      0.2           
8       27.61356      1.619031   1.64291    58.0456 
9     -772.53982      可変（A）
10     -46.70094      0.45       1.91983    19.7055 
11      12.50741      0.89757       
12     -25.71304      0.45       1.89069    33.1467 
13      10.35889      2.260991   1.92202    18.9164 
14     -10.8166       0.38          
15      -8.71562      0.45       1.70467    50.2581 
16    -150.31281      可変（B） 
17       9.72661      3.01446    1.73697    46.9492 
18     871.11496      0.6           
19      ∞(絞り)      1.0       
20      30.20305      2.09668    1.62462    59.8175 
21      -7.33776      0.45       1.83912    25.2275 
22     -64.44003      可変（C）
23     -43.28747      0.45       1.62000    60.3000 
24      18.08957      可変（D）
25      21.73709      2.36234    1.54146    65.2740 
26     -12.53725      可変（E） 
27      -9.23513      0.45       1.72150    24.4880 
28       9.17079      2.277762   1.77300    49.6000 
29     -12.09068      1.692          
30       ∞           1.33       1.51680    64.2000             。
【００４７】
「非球面」
「第８面」  
K = 0.0000  
A4 =-8.386980e-06 
A6 =-8.705760e-08 
A8 =-1.533620e-09 
A10=3.407520e-11 
「第９面」  
K= 0.0000  
A4 =-1.776200e-05 
A6 =-1.502740e-07 
A8 = 3.245080e-10 
A10=2.139540e-11 
「第１２面」  
K= 0.0000  
A4 =1.276150e-04 
A6 = 1.346750e-07 
A8 = 7.298300e-08 
A10=-5.031200e-10 
「第１７面」  
K= 0.0000  
A4 =9.756410e-05 
A6 = 1.737260e-06 
A8 = 2.227980e-08 
A10=-1.873450e-09 
「第１８面」  
K= 0.0000  
A4 =-2.178700e-05 
A6 =  3.277980e-07 
A8 = -7.994780e-08 
A10= -3.392670e-09 
「第２０面」
K= 0.0000  
A4 =-4.152150e-04 
A6 =-5.982200e-06 
A8 =-2.977200e-07 
A10=-4.433360e-09 
「第２５面」  
K= 0.0000  
A4 =-2.177180e-04 
A6 = 4.139870e-07 
A8 =-2.104310e-08 
A10= 1.987220e-10                 
なお、上記の表記において例えば「1.987220e-10」は「1.987220×10-10」を表す。以下においても同様である。
【００４８】
「可変量」
広角端    中間焦点距離     望遠端
A   0.70000    10.77977       18.61036 
B  18.71036     8.63060        0.80000 
C   1.00000     7.21447       11.67532 
D  11.42530     5.94347        3.95984 
E   6.20986     5.47722        3.00000                               。
【００４９】
「条件のパラメータの数値」
f1=24.58
f2=-8.56
fw＝6.0
ft＝42.0
(1)  ｆ１／√（ｆｗ×ｆｔ）＝1.55
(2)  ｆ２／√（ｆｗ×ｆｔ）＝-0.54                              。
【００５０】
実施例１に関する広角端における収差図を図２に、ある特定の中間焦点距離における収差図を図３に、望遠端における収差図を図４に示す。非点収差図中の実線はサジタル像面、破線はメリディオナル像面を示す。コマ収差図は各像高でのコマ収差を表す。各収差図中でｄはｄ線（λ＝５８７．６ｎｍ）、ｇはｇ線（λ＝４３５．８ｎｍ）における収差をそれぞれ表す。以下に挙げる実施例２〜４に関する収差図においても同様である。
【００５１】
「実施例２」  
f=6.0〜42.0  、FNO=3.57〜4.56  、ω=33.8〜5.0  
面番号  曲率半径      面間隔         Nd       νd  
1        337.584        0.6        1.90975    22.841  
2         22.40499      1.511108         
3          ∞           7.5        1.88300    40.8    
4          ∞           7.5        1.88300    40.8    
5       -235.57658      0.2          
6         79.81937      1.373999   1.67209    55.6032 
7        -54.40069      0.2               
8         26.9034       1.886293   1.62566    59.7112 
9        -87.46846      可変（A）
10       -40.04017      0.45       1.90427   25.0486 
11        12.87345      0.874157     
12       -26.96456      0.45       1.86645   30.4223 
13        13.06726      2.035855   1.91301   19.0706 
14       -13.31312      0.38              
15        -9.78012      0.45       1.53747   65.5905 
16        96.15273     可変（B） 
17         9.41477      2.462659   1.69029   46.2397 
18      -839.76249      0.6          
19         ∞（絞り）   1.           
20        19.79278      1.999535   1.60794   60.9348 
21        -7.29263      0.45       1.79837   27.4998 
22      1472.66417      可変（C）
23       -42.60777      0.45       1.57346   62.9855 
24        16.91799      可変（D）
25       -58.8181       1.85841    1.62595   55.2124 
26        -9.39181      可変（E）
27       -74.38117      0.45       1.89405   30.6662 
28         7.94522      3.         1.69921   53.6732 
29       -20.04083      1.692        
30         ∞           1.33       1.51680   64.2                  。
【００５２】
「非球面」
「第８面」  
K = 0.0000  
A4 =-2.160880e-06 
A6 =-6.766920e-09 
A8 =-1.822100e-10 
A10=1.975800e-12 
「第９面」  
K= 0.0000  
A4 =-2.607480e-06 
A6 =-1.681700e-08 
A8 = 2.057560e-11 
A10 = 1.104510e-12 
「第１２面」  
K= 0.0000  
A4 =1.288440e-04 
A6 = -1.777400e-07 
A8 =  6.520130e-08 
A10=-8.893880e-10 
「第１７面」  
K= 0.0000  
A4 =1.275030e-04 
A6 = 2.801040e-06 
A8 = 1.474130e-07 
A10=1.935880e-09 
「第１８面」  
K= 0.0000  
A4 =-6.731700e-05 
A6 =   2.582350e-06 
A8 =  3.572440e-07 
A10= -7.753220e-09 
「第２０面」  
K= 0.0000  
A4 =-5.011700e-04  
A6 = -6.071220e-06  
A8 =  2.070500e-07  
A10= -2.250130e-08 
「第２５面」  
K= 0.0000  
A4 =-3.770240e-04 
A6 = 1.462730e-06 
A8 =-5.410320e-08 
A10=6.451190e-10                                   。
【００５３】
「可変量」  
広角端    中間焦点距離        望遠端
A   0.70000      11.51196        19.94401
B  20.04401       9.23205         0.80000
C   1.00000       7.10142        12.71488
D  10.09783       4.47651         1.00000
E   3.61705       3.13695         1.00000            。
【００５４】
「条件のパラメータの数値」
f1=26.59  
f2=-8.68  
fw＝6.0  
ft＝42.0  
(1)  ｆ１／√（ｆｗ×ｆｔ）＝1.68  
(2)  ｆ２／√（ｆｗ×ｆｔ）＝-0.54                                。
【００５５】
実施例２に関する広角端における収差図を図６に、ある特定の中間焦点距離における収差図を図７に、望遠端における収差図を図８に示す。  
「実施例３」
f=6.0〜42.0  、FNO=3.47〜4.74  、ω=33.8〜5.0  
面番号  曲率半径      面間隔     Nd         νd  
1      115.31800     0.60000     1.97746    24.57
2       18.12424     1.84288       
3        ∞          7.5         1.88300    40.80
4        ∞          7.5         1.88300    40.80
5      -104.84754    0.20000 
6       84.17483     1.80916     1.53381    65.89
7      -33.90177     0.20000     
8       29.59598     1.75779     1.61936    60.33
9     -216.39293     可変（A）
10     -19.43556     0.45000     2.00330    28.27
11      17.46924     0.52402                   
12     101.19870     0.45000     1.89950    35.55
13      33.20155     1.99840     1.92300    18.90
14     -13.94949     0.38000                   
15     -15.07010     0.45000     1.57117    63.14
16      30.59856     可変（B）                          
17       9.52863     2.17410     1.73220    48.40
18     395.24714     0.60000                   
19      ∞(絞り)     1.00000   
20      21.48534     1.91859     1.61855    60.37
21      -7.99369     0.45000     1.87900    26.40
22    -522.43822     可変（C）
23     -25.49316     0.45000     1.62731    59.19
24      18.65382     可変（D）
25      47.81380     2.07490     1.62000    60.30
26     -10.35095     可変（E）
27      -9.04052     0.45000     1.95368    21.81
28     140.07771     1.47360     1.60835    60.91
29      -9.08507     1.69200                   
30       ∞          1.33000     1.51680    64.20                      。
【００５６】
「非球面」
「第８面」
K ＝ 0.0000 
A4 =-9.002120E-06
A6 =-9.540740E-08
A8 =-1.412480E-09
A10 =3.180950E-11  
「第９面」
K＝ 0.0000 
A4 =-1.948440E-05
A6 =-1.522750E-07
A8 =1.239960E-10
A10 =2.181120E-11
「第１２面」
K＝ 0.0000 
A4 =1.222580E-04
A6 =-1.617120E-07
A8 =2.677150E-08
A10 =-5.646590E-10  
「第１７面」
K＝ 0.0000 
A4 =1.305330E-04
A6 =2.155570E-06
A8 =4.711320E-08
A10 =-3.339880E-09  
「第１８面」  
K＝ 0.0000 
A4 =-3.910360E-05
A6 =7.471500E-07
A8 =-8.164190E-08
A10 =-3.630490E-09  
「第２０面」
K＝ 0.0000 
A4 =-4.386790E-04
A6 =-7.317290E-06
A8 =-3.043500E-07
A10 =-4.444400E-09
「第２５面」
K＝ 0.0000 
A4 =-2.816110E-04
A6 =7.842800E-07
A8 =-2.338200E-08
A10 =2.401360E-10                                          。
【００５７】
「可変量」
広角端    中間焦点距離     望遠端
A   0.70000    13.32042        23.10107
B  23.20107    10.58065         0.80000
C   1.00000     5.80631         9.26467
D   7.97285     4.45295         4.45880
E   7.75063     6.46422         3.00000                              。
【００５８】
「条件のパラメータの数値」
f1=29.14
f2=-11.27
fw＝6.0
ft＝42.0
(1)  ｆ１／√（ｆｗ×ｆｔ）＝1.84
(2)  ｆ２／√（ｆｗ×ｆｔ）＝-0.71                                。
【００５９】
実施例３に関する広角端における収差図を図１０に、ある特定の中間焦点距離における収差図を図１１に、望遠端における収差図を図１２に示す。  
「実施例４」
f=6.0〜42.0  、FNO=3.47〜4.60  、ω=33.8〜5.0
面番号  曲率半径      面間隔     Nd       νd  
1      100.40708     0.60000   1.85988    20.21
2       18.61873     1.80107   
3        ∞          7.50000   1.88300    40.80
4        ∞          7.50000   1.88300    40.80
5      -81.42545     0.20000           
6       52.79400     1.62905   1.59078    61.91
7      -44.46252     0.20000   
8       22.98720     1.60740   1.62865    59.00
9      279.04620     可変（A）
10    -153.63572     0.45000   1.98350    25.36
11      11.27018     0.88627                         
12     -17.82120     0.45000   1.91311    30.55
13      10.26143     2.11464   1.91872    18.97
14      -9.35386     0.38000                      
15      -7.46282     0.45000   1.77310    40.93
16     -77.21758     可変（B）
17       9.71193     3.09499   1.73979    47.86
18     593.94509     0.60000                     
19      ∞(絞り)     1.00000       
20      34.15877     2.69387   1.63487    58.12
21      -7.03810     0.45000   1.82750    24.46
22     -36.87027     可変（C）
23     -57.96351     0.45000   1.62000    60.30
24      16.62937     可変（D）
25      26.37470     2.54502   1.48700    70.40
26     -11.46471     可変（E）
27     -24.96643     0.45000   1.71649    24.72
28       5.64546     2.72375   1.88300    40.80
29    -111.09056     1.69200                   
30       ∞          1.33000   1.51680    64.20                      。
【００６０】
「非球面」
「第８面」
K = 0.0000 
A4 =-7.934380E-06
A6 =-8.398090E-08
A8 =-1.603310E-09
A10 =3.360710E-11
「第９面」
K= 0.0000 
A4 =-1.792420E-05
A6 =-1.437680E-07
A8 =4.319140E-10
A10 =1.933330E-11
「第１２面」
K= 0.0000 
A4 =1.531540E-04
A6 =9.665750E-07
A8 =1.074050E-07
A10 =-3.049810E-10  
「第１７面」
K= 0.0000 
A4 =9.293920E-05
A6 =1.666680E-06
A8 =1.429320E-08
A10 =-8.975440E-10      
「第１８面」  
K= 0.0000 
A4 =-1.768670E-05
A6 =3.513740E-07
A8 =-7.244330E-08
A10 =-2.541290E-09  
「第２０面」
K= 0.0000 
A4 =-4.364170E-04
A6 =-5.926940E-06
A8 =-2.279770E-07
A10 =-6.430170E-09  
「第２５面」
K= 0.0000 
A4 =-2.750460E-04
A6 =2.827570E-07
A8 =-2.823790E-08
A10 =2.832410E-10                                  。
【００６１】
「可変量」
広角端    中間焦点距離      望遠端
A   0.70000     9.23577        15.98830
B  16.08830     7.55253         0.80000
C   1.00000     8.27460        14.31360
D  14.04888     7.34903         3.00000
E   5.26473     4.68997         3.00000                      。
【００６２】
「条件のパラメータの数値」  
f1=22.0  
f2=-7.0  
fw＝6.0  
ft＝42.0  
(1)  ｆ１／√（ｆｗ×ｆｔ）＝1.39  
(2)  ｆ２／√（ｆｗ×ｆｔ）＝-0.44                            。
【００６３】
実施例４に関する広角端における収差図を図１４に、ある特定の中間焦点距離における収差図を図１５に、望遠端における収差図を図１６に示す。  
なお、実施例１〜４において、面番号５が第１レンズ群Ｉ内に設けられた「光路を折り曲げるための光学素子」であるプリズムの射出面であって「曲率を持つ面」である。
【図面の簡単な説明】
【００６４】
【図１】ズームレンズの実施の１形態（実施例１）のレンズ構成と変倍に伴う角レンズ群の変位を示す図である。
【図２】実施例１の広角端における収差図である。
【図３】実施例１のある特定の中間焦点距離における収差図である。
【図４】実施例１の望遠端における収差図である。
【図５】ズームレンズの実施の他の形態（実施例２）のレンズ構成と変倍に伴う角レンズ群の変位を示す図である。
【図６】実施例２の広角端における収差図である。
【図７】実施例２のある特定の中間焦点距離における収差図である。
【図８】実施例２の望遠端における収差図である。
【図９】ズームレンズの実施の他の形態（実施例３）のレンズ構成と変倍に伴う角レンズ群の変位を示す図である。
【図１０】実施例３の広角端における収差図である。
【図１１】実施例３のある特定の中間焦点距離における収差図である。
【図１２】実施例３の望遠端における収差図である。
【図１３】ズームレンズの実施のさらに他の形態（実施例４）のレンズ構成と変倍に伴う角レンズ群の変位を示す図である。
【図１４】実施例４の広角端における収差図である。
【図１５】実施例４のある特定の中間焦点距離における収差図である。
【図１６】実施例４の望遠端における収差図である。
【図１７】撮像装置の実施の１形態のシステムを説明するための図である。
【符号の説明】
【００６５】
Ｉ      第１レンズ群  
ＩＩ    第２レンズ群  
ＩＩＩ  第３レンズ群  
ＩＶ    第４レンズ群  
Ｖ      第５レンズ群  
ＶＩ    第６レンズ群  
【図１】
0004988462.tif 000002
【図２】
0004988462.tif 000003
【図３】
0004988462.tif 000004
【図４】
0004988462.tif 000005
【図５】
0004988462.tif 000006
【図６】
0004988462.tif 000007
【図７】
0004988462.tif 000008
【図８】
0004988462.tif 000009
【図９】
0004988462.tif 000010
【図１０】
0004988462.tif 000011
【図１１】
0004988462.tif 000012
【図１２】
0004988462.tif 000013
【図１３】
0004988462.tif 000014
【図１４】
0004988462.tif 000015
【図１５】
0004988462.tif 000016
【図１６】
0004988462.tif 000017
【図１７】
0004988462.tif 000018